(57)【要約】【課題】複数ページの画像をページ毎に記録媒体に印刷する印刷処理において、特定ページの画像が印刷された記録媒体が正当な権限を有する者以外の者により持ち去られることを防止して、印刷処理のセキュリティレベルを向上させることができる印刷システムを提供する。【解決手段】本発明の印刷システムは、複数ページのうちの特定ページに対して、特定ページの画像の記録媒体への印刷可否を判定するための認証情報を設定する認証設定部と、ユーザにより入力された認証情報を取得して、取得された認証情報が認証設定部により設定された認証情報と一致するか否かを判定する認証部と、特定ページ以外のページの画像を記録媒体に印刷するとともに、認証部により認証情報が一致すると判定された場合に、特定ページの画像を記録媒体に印刷する印刷部と、を有する。【選択図】図１２
2012118789.tif 000002
【特許請求の範囲】
【請求項１】
複数ページの画像をページ毎に記録媒体に印刷する印刷システムであって、
前記複数ページのうちの特定ページに対して、当該特定ページの画像の記録媒体への印刷可否を判定するための認証情報を設定する認証設定部と、
ユーザにより入力された認証情報を取得して、当該取得された認証情報が前記認証設定部により設定された認証情報と一致するか否かを判定する認証部と、
前記特定ページ以外のページの画像を記録媒体に印刷するとともに、前記認証部により前記認証情報が一致すると判定された場合に、前記特定ページの画像を記録媒体に印刷する印刷部と、を有することを特徴とする印刷システム。
【請求項２】
前記認証設定部は、異なるセキュリティレベルの認証情報を２以上のページに対して設定することを特徴とする請求項１に記載の印刷システム。
【請求項３】
前記認証情報を含む印刷ジョブを記憶する記憶部と、
前記記憶部に記憶されている印刷ジョブの中から、前記取得された認証情報と一致する認証情報を含む他の印刷ジョブを検出する検出部と、をさらに有し、
前記検出部により前記他の印刷ジョブが検出された場合、前記印刷部は、さらに、前記他の印刷ジョブにおいて前記認証情報が設定されているページの画像を記録媒体に印刷することを特徴とする請求項１または２に記載の印刷システム。
【請求項４】
該当するページの画像を記録媒体に印刷することを禁止する禁止条件を設定する条件設定部をさらに有し、
前記禁止条件が成立しない場合、前記印刷部は、前記ページの画像を記録媒体に印刷することを特徴とする請求項１〜３のいずれか１項に記載の印刷システム。
【請求項５】
前記複数ページの画像は、当該複数ページの画像に共通の画像要素を含むことを特徴とする請求項１〜４のいずれか１項に記載の印刷システム。
【請求項６】
複数ページの画像をページ毎に記録媒体に印刷する印刷方法であって、
前記複数ページのうちの特定ページに対して、当該特定ページの画像の記録媒体への印刷可否を判定するための認証情報を設定するステップ（ａ）と、
前記特定ページ以外のページの画像を記録媒体に印刷するステップ（ｂ）と、
ユーザにより入力された認証情報を取得して、当該取得された認証情報が前記ステップ（ａ）において設定された認証情報と一致するか否かを判定するステップ（ｃ）と、
前記ステップ（ｃ）において前記認証情報が一致すると判定された場合、前記特定ページの画像を記録媒体に印刷するステップ（ｄ）と、を有することを特徴とする印刷方法。
【請求項７】
前記ステップ（ａ）において、異なるセキュリティレベルの認証情報が２以上のページに対して設定されることを特徴とする請求項６に記載の印刷方法。
【請求項８】
前記認証情報を含む印刷ジョブを記憶部に記憶するステップ（ｅ）と、
前記記憶部に記憶されている印刷ジョブの中から、前記取得された認証情報と一致する認証情報を含む他の印刷ジョブを検出するステップ（ｆ）と、
前記ステップ（ｆ）において前記他の印刷ジョブが検出された場合、当該他の印刷ジョブにおいて前記認証情報が設定されているページの画像を記録媒体に印刷するステップ（ｇ）と、をさらに有することを特徴とする請求項６または７に記載の印刷方法。
【請求項９】
該当するページの画像を記録媒体に印刷することを禁止する禁止条件を設定するステップ（ｈ）をさらに有し、
前記禁止条件が成立しない場合、前記ステップ（ｂ）および前記ステップ（ｄ）において、前記ページの画像が記録媒体に印刷されることを特徴とする請求項６〜８のいずれか１項に記載の印刷方法。
【請求項１０】
前記複数ページの画像は、当該複数ページの画像に共通の画像要素を含むことを特徴とする請求項６〜９のいずれか１項に記載の印刷方法。
【請求項１１】
複数ページの画像をページ毎に記録媒体に印刷するための印刷ジョブを実行する印刷制御装置であって、
前記複数ページのうちの特定ページに対して設定されている、当該特定ページの画像の記録媒体への印刷可否を判定するための認証情報を含む印刷ジョブを受信する受信部と、
ユーザにより入力された認証情報を取得して、当該取得された認証情報が前記印刷ジョブに含まれる認証情報と一致するか否かを判定する認証部と、
前記特定ページ以外のページの画像の記録媒体への印刷を印刷装置に指示するとともに、前記認証部により前記認証情報が一致すると判定された場合に、前記特定ページの画像の記録媒体への印刷を前記印刷装置に指示する指示部と、を有することを特徴とする印刷制御装置。
【請求項１２】
前記印刷ジョブは、２以上のページに対して設定されている異なるセキュリティレベルの認証情報を含むことを特徴とする請求項１１に記載の印刷制御装置。
【請求項１３】
前記認証情報を含む印刷ジョブを記憶する記憶部と、
前記記憶部に記憶されている印刷ジョブの中から、前記取得された認証情報と一致する認証情報を含む他の印刷ジョブを検出する検出部と、をさらに有し、
前記検出部により前記他の印刷ジョブが検出された場合、前記指示部は、さらに、前記他の印刷ジョブにおいて前記認証情報が設定されているページの画像の記録媒体への印刷を前記印刷装置に指示することを特徴とする請求項１１または１２に記載の印刷制御装置。
【請求項１４】
前記印刷ジョブには、該当するページの画像を記録媒体に印刷することを禁止する禁止条件が設定されており、
前記禁止条件が成立しない場合、前記指示部は、前記ページの画像の記録媒体への印刷を前記印刷装置に指示することを特徴とする請求項１１〜１３のいずれか１項に記載の印刷制御装置。
【請求項１５】
前記複数ページの画像は、当該複数ページの画像に共通の画像要素を含むことを特徴とする請求項１１〜１４のいずれか１項に記載の印刷制御装置。
【発明の詳細な説明】
【技術分野】
【０００１】
本発明は、複数ページの画像をページ毎に記録媒体に印刷する印刷システム、印刷方法、および印刷制御装置に関する。
【背景技術】
【０００２】
宅配便等のサービスで利用される取引伝票は、「お客様用」伝票および「控え」伝票等の複数枚の伝票から構成される。近年、このような１組の伝票を、ＭＦＰ（Ｍｕｌｔｉ−Ｆｕｎｃｔｉｏｎ  Ｐｅｒｉｐｈｅｒａｌ）等の画像形成装置により作成するカーボンコピー印刷が提案されている（たとえば、特許文献１参照）。
【０００３】
カーボンコピー印刷により１組の伝票を作成する場合、原稿データに基づいて、各伝票に対応する複数種類の画像が形成される。このとき、たとえば、「お客様用」伝票の画像については、顧客の氏名、住所、電話番号等のすべての情報が記載され、「控え」伝票の画像については、マスク処理により一部の情報が隠される。これらの画像が用紙等の記録媒体に印刷されることにより、１組の伝票が作成される。カーボンコピー印刷によれば、ＭＦＰに対する１回の印刷指示により、１組の伝票を作成することができる。
【０００４】
ところで、ＭＦＰにより作成された１組の伝票を構成する各伝票は、それぞれ異なる者によりＭＦＰから持ち去られる場合がある。たとえば、「お客様用」伝票は、営業部門の担当者によりＭＦＰから持ち去られ、「控え」伝票は、経理部門の担当者によりＭＦＰから持ち去られる。
【０００５】
しかしながら、これらの伝票は互いに類似しているため、上記のような場合、特定の伝票が、当該伝票を本来持ち去るべき者以外の者により持ち去られるおそれがある。たとえば、営業部門の担当者により持ち去られるべき「お客様用」伝票が、経理部門の担当者により誤って持ち去られるおそれがある。とりわけ、顧客住所、電話番号等の重要な情報が記載されている伝票が、当該伝票を本来持ち去るべき者以外の者により持ち去られる場合、セキュリティの問題がある。
【０００６】
なお、下記の特許文献２〜４には、クライアント端末において印刷の実行を指示するユーザの権限に応じてマスク処理等の処理を施すことにより、画像に記載される情報を制限し、セキュリティレベルを向上させる技術が開示されている。しかしながら、これらの技術は、クライアント端末から印刷の実行を指示するユーザが、重要な情報が記載された画像を印刷すること自体を防止するものであり、画像が印刷された複数枚の用紙のうち特定の用紙をユーザ以外の者が持ち去ることを防止するものではない。
【先行技術文献】
【特許文献】
【０００７】
【特許文献１】特開２００４−１５５１１２号公報
【特許文献２】特開２００５−１９０４２６号公報
【特許文献３】特開２００５−３４６３９８号公報
【特許文献４】特開２００９−２９６１７３号公報
【発明の概要】
【発明が解決しようとする課題】
【０００８】
本発明は、上述した課題に鑑みてなされたものである。したがって、本発明の目的は、複数ページの画像をページ毎に記録媒体に印刷する印刷処理において、特定ページの画像が印刷された記録媒体が正当な権限を有する者以外の者により持ち去られることを防止して、印刷処理のセキュリティレベルを向上させることができる印刷システム、印刷方法、および印刷制御装置を提供することである。
【課題を解決するための手段】
【０００９】
本発明の上記目的は、下記の手段によって達成される。
【００１０】
（１）複数ページの画像をページ毎に記録媒体に印刷する印刷システムであって、前記複数ページのうちの特定ページに対して、当該特定ページの画像の記録媒体への印刷可否を判定するための認証情報を設定する認証設定部と、ユーザにより入力された認証情報を取得して、当該取得された認証情報が前記認証設定部により設定された認証情報と一致するか否かを判定する認証部と、前記特定ページ以外のページの画像を記録媒体に印刷するとともに、前記認証部により前記認証情報が一致すると判定された場合に、前記特定ページの画像を記録媒体に印刷する印刷部と、を有することを特徴とする印刷システム。
【００１１】
（２）前記認証設定部は、異なるセキュリティレベルの認証情報を２以上のページに対して設定することを特徴とする上記（１）に記載の印刷システム。
【００１２】
（３）前記認証情報を含む印刷ジョブを記憶する記憶部と、前記記憶部に記憶されている印刷ジョブの中から、前記取得された認証情報と一致する認証情報を含む他の印刷ジョブを検出する検出部と、をさらに有し、前記検出部により前記他の印刷ジョブが検出された場合、前記印刷部は、さらに、前記他の印刷ジョブにおいて前記認証情報が設定されているページの画像を記録媒体に印刷することを特徴とする上記（１）または（２）に記載の印刷システム。
【００１３】
（４）該当するページの画像を記録媒体に印刷することを禁止する禁止条件を設定する条件設定部をさらに有し、前記禁止条件が成立しない場合、前記印刷部は、前記ページの画像を記録媒体に印刷することを特徴とする上記（１）〜（３）のいずれか１つに記載の印刷システム。
【００１４】
（５）前記複数ページの画像は、当該複数ページの画像に共通の画像要素を含むことを特徴とする上記（１）〜（４）のいずれか１つに記載の印刷システム。
【００１５】
（６）複数ページの画像をページ毎に記録媒体に印刷する印刷方法であって、前記複数ページのうちの特定ページに対して、当該特定ページの画像の記録媒体への印刷可否を判定するための認証情報を設定するステップ（ａ）と、前記特定ページ以外のページの画像を記録媒体に印刷するステップ（ｂ）と、ユーザにより入力された認証情報を取得して、当該取得された認証情報が前記ステップ（ａ）において設定された認証情報と一致するか否かを判定するステップ（ｃ）と、前記ステップ（ｃ）において前記認証情報が一致すると判定された場合、前記特定ページの画像を記録媒体に印刷するステップ（ｄ）と、を有することを特徴とする印刷方法。
【００１６】
（７）前記ステップ（ａ）において、異なるセキュリティレベルの認証情報が２以上のページに対して設定されることを特徴とする上記（６）に記載の印刷方法。
【００１７】
（８）前記認証情報を含む印刷ジョブを記憶部に記憶するステップ（ｅ）と、前記記憶部に記憶されている印刷ジョブの中から、前記取得された認証情報と一致する認証情報を含む他の印刷ジョブを検出するステップ（ｆ）と、前記ステップ（ｆ）において前記他の印刷ジョブが検出された場合、当該他の印刷ジョブにおいて前記認証情報が設定されているページの画像を記録媒体に印刷するステップ（ｇ）と、をさらに有することを特徴とする上記（６）または（７）に記載の印刷方法。
【００１８】
（９）該当するページの画像を記録媒体に印刷することを禁止する禁止条件を設定するステップ（ｈ）をさらに有し、前記禁止条件が成立しない場合、前記ステップ（ｂ）および前記ステップ（ｄ）において、前記ページの画像が記録媒体に印刷されることを特徴とする上記（６）〜（８）のいずれか１つに記載の印刷方法。
【００１９】
（１０）前記複数ページの画像は、当該複数ページの画像に共通の画像要素を含むことを特徴とする上記（６）〜（９）のいずれか１つに記載の印刷方法。
【００２０】
（１１）複数ページの画像をページ毎に記録媒体に印刷するための印刷ジョブを実行する印刷制御装置であって、前記複数ページのうちの特定ページに対して設定されている、当該特定ページの画像の記録媒体への印刷可否を判定するための認証情報を含む印刷ジョブを受信する受信部と、ユーザにより入力された認証情報を取得して、当該取得された認証情報が前記印刷ジョブに含まれる認証情報と一致するか否かを判定する認証部と、前記特定ページ以外のページの画像の記録媒体への印刷を印刷装置に指示するとともに、前記認証部により前記認証情報が一致すると判定された場合に、前記特定ページの画像の記録媒体への印刷を前記印刷装置に指示する指示部と、を有することを特徴とする印刷制御装置。
【００２１】
（１２）前記印刷ジョブは、２以上のページに対して設定されている異なるセキュリティレベルの認証情報を含むことを特徴とする上記（１１）に記載の印刷制御装置。
【００２２】
（１３）前記認証情報を含む印刷ジョブを記憶する記憶部と、前記記憶部に記憶されている印刷ジョブの中から、前記取得された認証情報と一致する認証情報を含む他の印刷ジョブを検出する検出部と、をさらに有し、前記検出部により前記他の印刷ジョブが検出された場合、前記指示部は、さらに、前記他の印刷ジョブにおいて前記認証情報が設定されているページの画像の記録媒体への印刷を前記印刷装置に指示することを特徴とする上記（１１）または（１２）に記載の印刷制御装置。
【００２３】
（１４）前記印刷ジョブには、該当するページの画像を記録媒体に印刷することを禁止する禁止条件が設定されており、前記禁止条件が成立しない場合、前記指示部は、前記ページの画像の記録媒体への印刷を前記印刷装置に指示することを特徴とする上記（１１）〜（１３）のいずれか１つに記載の印刷制御装置。
【００２４】
（１５）前記複数ページの画像は、当該複数ページの画像に共通の画像要素を含むことを特徴とする上記（１１）〜（１４）のいずれか１つに記載の印刷制御装置。
【発明の効果】
【００２５】
本発明によれば、正当な権限を有するユーザが正しい認証情報を入力しない限り、特定ページの画像が記録媒体に印刷されないため、特定ページの画像が印刷された記録媒体が、特定ページ以外の画像が印刷された記録媒体とともに排紙部に排出されることが防止される。したがって、特定ページの画像が印刷された記録媒体が正当な権限を有する者以外の者により持ち去られてしまうことが防止され、印刷処理のセキュリティレベルが向上する。
【図面の簡単な説明】
【００２６】
【図１】本発明の一実施形態に係る印刷システムの全体構成を示すブロック図である。
【図２】図１に示されるＰＣの構成を示すブロック図である。
【図３】図１に示されるＭＦＰの構成を示す概略正面図である。
【図４】図１に示されるＭＦＰの構成を示すブロック図である。
【図５】図４に示されるＨＤＤに格納されているプログラムを説明するための図である。
【図６】カーボンコピー印刷により印刷される画像を説明するための図である。
【図７】ＰＣのディスプレイに表示される印刷設定画面の一例を示す図である。
【図８】カーボンコピー編集画面の一例を示す図である。
【図９】印刷設定情報の一例を示す図である。
【図１０】ＭＦＰにより実行される印刷処理の手順を示すフローチャートである。
【図１１】図１０に後続するフローチャートである。
【図１２】ＭＦＰの操作パネル部に表示されるジョブ指定画面の一例を示す図である。
【図１３】カーボンコピー印刷の作用効果を説明するための図である。
【図１４】本発明の印刷処理をバリアブル印刷に適用した場合の作用効果を説明するための図である。
【図１５】ＭＦＰにより実行される印刷処理の変形例を説明するためのフローチャートである。
【図１６】図１５に後続するフローチャートである。
【発明を実施するための形態】
【００２７】
以下、図面を参照して、本発明の実施形態を詳細に説明する。
【００２８】
図１は、本発明の一実施形態に係る印刷システムの全体構成を示すブロック図である。
【００２９】
本実施形態の印刷システムは、ＰＣ（Ｐｅｒｓｏｎａｌ  Ｃｏｍｐｕｔｅｒ）１００とＭＦＰ２００とを備え、これらはネットワーク３００を介して相互に通信可能に接続されている。
【００３０】
ネットワーク３００は、イーサネット（登録商標）、トークンリング、ＦＤＤＩ（Ｆｉｂｅｒ  Ｄｉｓｔｒｉｂｕｔｅｄ  Ｄａｔａ  Ｉｎｔｅｒｆａｃｅ）等の規格によりコンピュータやネットワーク機器同士を接続したＬＡＮ（Ｌｏｃａｌ  Ａｒｅａ  Ｎｅｔｗｏｒｋ）や、ＬＡＮ同士を専用線で接続したＷＡＮ（Ｗｉｄｅ  Ａｒｅａ  Ｎｅｔｗｏｒｋ）等からなる。なお、ネットワーク３００に接続される機器の種類および台数は、図１に示す例に限定されない。また、ＰＣ１００とＭＦＰ２００とは、ネットワーク３００を介することなく直接機器間で接続（ローカル接続）されていてもよい。
【００３１】
図２は、図１に示されるＰＣの構成を示すブロック図である。ＰＣ１００は、ＣＰＵ（Ｃｅｎｔｒａｌ  Ｐｒｏｃｅｓｓｉｎｇ  Ｕｎｉｔ）１０１、メモリ１０２、ＨＤＤ（Ｈａｒｄ  Ｄｉｓｋ  Ｄｒｉｖｅ）１０３、ディスプレイ１０４、入力装置１０５、および通信Ｉ／Ｆ（Ｉｎｔｅｒｆａｃｅ）部１０６を備えており、これらは信号をやり取りするためのバス１０７を介して相互に接続されている。
【００３２】
ＣＰＵ１０１は、プログラムにしたがって上記各部の制御や各種の演算処理を行う。メモリ１０２は、予め各種プログラムや各種データを格納しておくＲＯＭ（Ｒｅａｄ  Ｏｎｌｙ  Ｍｅｍｏｒｙ）、作業領域として一時的にプログラムやデータを記憶するＲＡＭ（Ｒａｎｄａｍ  Ａｃｃｅｓｓ  Ｍｅｍｏｒｙ）等からなる。
【００３３】
ＨＤＤ１０３は、オペレーティングシステムを含む各種プログラムや各種データを格納する。ＨＤＤ１０３には、原稿データを作成するためのアプリケーションと、原稿データをＭＦＰ２００が解釈可能なページ記述言語（ＰＤＬ）で記述された印刷データに変換するためのプリンタドライバとがインストールされている。なお、原稿データを作成するためのアプリケーションには、Ｍｉｃｒｏｓｏｆｔ  Ｗｏｒｄ（登録商標）、Ａｄｏｂｅ  Ｉｌｌｕｓｔｒａｔｏｒ（登録商標）の他、バリアブル印刷専用のアプリケーションが挙げられる。
【００３４】
ディスプレイ１０４は、たとえば、液晶ディスプレイであり、各種の情報を表示する。入力装置１０５は、マウス等のポインティングデバイスやキーボードを含み、各種の入力を行うために使用される。
【００３５】
通信Ｉ／Ｆ部１０６は、ネットワーク３００を介し他の機器と通信するためのインタフェースであり、イーサネット（登録商標）、トークンリング、ＦＤＤＩ等の規格が用いられる。
【００３６】
図３は、図１に示されるＭＦＰの構成を示す概略正面図であり、図４は、図１に示されるＭＦＰの構成を示すブロック図である。
【００３７】
ＭＦＰ２００は、制御部２１０、操作パネル部２２０、ＡＤＦ（Ａｕｔｏ  Ｄｏｃｕｍｅｎｔ  Ｆｅｅｄｅｒ）２３０、画像読取部２４０、給紙部２５０、画像形成部２６０、および排紙部２７０を備えており、これらは信号をやり取りするためのバスを介して相互に接続されている。なお、ＭＦＰ２００の上記各部のうち、ＰＣ１００の上記各部と同様の機能を有する部分については、説明の重複を避けるためその説明を省略する。
【００３８】
制御部２１０は、ＣＰＵ２０１、メモリ２０２、ＨＤＤ２０３、および通信Ｉ／Ｆ部２０４を有する。
【００３９】
図５は、ＨＤＤに格納されているプログラムを説明するための図である。ＨＤＤ２０３には、ＰＣ１００からの印刷データを変換してビットマップ形式の画像データを生成するための画像データ生成部、画像データを編集または加工してカーボンコピー印刷用の画像データを生成するための画像データ編集部、および画像データに基づく画像を印刷出力するための認証処理を実行する認証実行部に対応するプログラムが格納されている。
【００４０】
操作パネル部２２０は、タッチパネル、テンキー、スタートボタン、ストップボタン等を備えており、各種情報の表示および各種指示の入力に使用される。
【００４１】
ＡＤＦ２３０は、セットされた複数枚の原稿を１枚ずつ画像読取部２４０の所定の読み取り位置まで順次搬送し、そして画像読み取り後の原稿を順次排出する。
【００４２】
画像読取部２４０は、所定の読み取り位置にセットされた原稿またはＡＤＦ２３０により所定の読み取り位置に搬送された原稿に蛍光ランプ等の光源で光を当て、その反射光をＣＣＤ（Ｃｈａｒｇｅ  Ｃｏｕｐｌｅｄ  Ｄｅｖｉｃｅ）イメージセンサ等の撮像装置で光電変換して、その電気信号から画像データを生成する。
【００４３】
給紙部２５０は、印刷に使用される記録媒体としての用紙を収容する。給紙部２５０は、複数の給紙トレイを有しており、給紙トレイに収容された用紙を１枚ずつ画像形成部２６０に送り出す。
【００４４】
画像形成部２６０は、帯電、露光、現像、転写、および定着の各工程を含む電子写真式プロセス等の周知の作像プロセスを用いて、各種データに基づく画像を用紙上に形成する。
【００４５】
排紙部２７０は、画像形成部２６０から搬送される印刷後の用紙を収容する。本実施形態の排紙部２７０は、複数の排紙トレイおよび複数の排紙ボックスを有しており、画像形成部２６０から搬送される印刷後の用紙は所定の排紙トレイまたは排紙ボックスに収容される。排紙ボックスには、内部に収容されている用紙を取り出すためのドアが設けられており、ドアにはロック機能が備えられている。また、本実施形態の各排紙トレイおよび排紙ボックスには用紙を検出するためのセンサが設けられており、内部に用紙が収容されているか否かを認識することができる。
【００４６】
なお、ＰＣ１００およびＭＦＰ２００は、それぞれ、上記の構成要素以外の構成要素を含んでいてもよく、あるいは、上記の構成要素のうちの一部が含まれていなくてもよい。
【００４７】
次に、図６を参照して、本実施形態の印刷システムにより実行されるカーボンコピー印刷について説明する。カーボンコピー印刷では、共通の画像要素を有する複数ページの画像がページ毎に用紙に印刷されることにより、１組の書類が作成される。
【００４８】
図６は、カーボンコピー印刷により印刷される画像を説明するための図である。図６（Ａ）は、「発送伝票」の原稿データの画像を示しており、図６（Ｂ）および図６（Ｃ）は、「発送伝票」の原稿データから生成される１組の伝票の画像を示している。
【００４９】
カーボンコピー印刷では、ユーザからの１回の印刷指示により、原稿データから複数の画像データが生成される。画像データに基づく画像が用紙に印刷されることにより、「お客様用」伝票および「控え」伝票からなる１組の伝票が作成される。これらの伝票には、顧客氏名、顧客住所、および伝票番号等の互いに共通する画像要素が含まれる。
【００５０】
図６（Ａ）および図６（Ｂ）を比較すると、図６（Ｂ）に示される「お客様用」伝票には、伝票番号（Ｎｏ．１２３４５６７８９０）が付加されている。
【００５１】
また、図６（Ａ）および図６（Ｃ）を比較すると、図６（Ｃ）に示される「控え」伝票には、「お客様用」伝票と同じ伝票番号（「Ｎｏ．１２３４５６７８９０」）に加え、それが控えであることを示す「控え」マークが付加されている。また、「控え」伝票には、印字する必要のない電話番号（Ｔｅｌ：０４２６−６０−９ｘｘｘ）を隠すためのマスク処理が適用されている。さらに、「控え」伝票には、図６（Ｂ）の「お客様用」伝票とは異なる背景色が用いられている。
【００５２】
このような変更は、プリンタドライバにより提供されるカーボンコピー編集画面４００’（図８参照）を使用して、ユーザが行うことができる。
【００５３】
図７は、ＰＣのディスプレイに表示される印刷設定画面の一例を示す図である。印刷設定画面４００は、プリンタドライバが起動されることにより、ＰＣ１００のディスプレイ１０４に表示される。ＰＣ１００のユーザは、印刷設定画面４００を使用して、カーボンコピー印刷についての設定を行うことができる。
【００５４】
図７に示されるとおり、印刷設定画面４００は、２つのタブ４１０ａ，４１０ｂを有している。２つのタブ４１０ａ，４１０ｂのうち「カーボン」タブ４１０ｂが選択されることにより、カーボンコピー印刷についての設定を行うための画面が表示される。
【００５５】
印刷設定画面４００は、カーボンコピー印刷指示部４１１、通し番号入力部４１２、用途選択部４１３、排紙トレイ設定部４１４、認証設定部４１５、出力設定部４１６、および優先度設定部４１７を有する。また、印刷設定画面４００には、カーボンコピー編集ボタン４１８、プリントボタン４１９ａ、適用ボタン４１９ｂ、およびキャンセルボタン４１９ｃが設けられている。
【００５６】
カーボンコピー印刷指示部４１１は、カーボンコピー印刷を実行するか否かについての設定を受け付ける。カーボンコピー印刷指示部４１１は、チェックボックスを有し、カーボンコピー印刷を実行するか否かについてのユーザによる選択を受け付ける。
【００５７】
通し番号入力部４１２は、カーボンコピー印刷により印刷される複数ページの画像に付加される通し番号の入力を受け付ける。通し番号入力部４１２は、テキストボックスを有し、ユーザによる通し番号の入力を受け付ける。
【００５８】
用途選択部４１３は、カーボンコピー印刷により印刷される複数ページの画像に対してそれぞれ指定されている用途（「お客様用」、「控え」）の中から、１つの用途の選択を受け付ける。用途選択部４１３は、プルダウンメニューを有し、各ページに対応する用途の中から、ユーザによる１つの用途の選択を受け付ける。
【００５９】
排紙トレイ設定部４１４は、特定用途のページに対して、当該ページの画像が印刷された用紙が排出される排紙トレイの設定を受け付ける。カーボンコピー印刷では、たとえば、各伝票の画像が印刷された用紙を持ち去る者が異なる場合があり、異なる用紙を他人が誤って持ち去ることを防止するために、伝票別に異なる排紙トレイが設定される。排紙トレイ設定部４１４は、プルダウンメニューを有し、用途選択部４１３により選択されている用途のページに対して、ユーザによる排紙トレイの設定を受け付ける。
【００６０】
認証設定部４１５は、特定用途のページに対して、当該ページの画像の印刷可否を判定するための認証情報の設定を受け付ける。認証設定部４１５は、識別情報設定部４１５ａとパスワード設定部４１５ｂとを有し、用途選択部４１３により選択されている用途のページに対して、ユーザによる識別情報とパスワードの設定を受け付ける。また、認証設定部４１５は、識別情報のみの設定を受け付けることもできる。
【００６１】
出力設定部４１６は、特定用途のページに対して、当該ページの画像が印刷された用紙が排紙トレイにおいて他の用紙に重ねられることを禁止する旨の設定を受け付ける。出力設定部４１６は、用途選択部４１３により選択されている用途のページに対して、ユーザによる上積みを禁止する旨の設定を受け付ける。
【００６２】
優先度設定部４１７は、特定用途のページに対して、優先度の設定を受け付ける。優先度設定部４１７は、プルダウンメニューを有し、用途選択部４１３により選択されている用途のページに対して、ユーザによる優先度の設定を受け付ける。
【００６３】
図８は、カーボンコピー編集画面の一例を示す図である。カーボンコピー編集画面４００’は、印刷設定画面４００のカーボンコピー編集ボタン４１８が押し下げられることにより、ディスプレイ１０４に表示される。ＰＣ１００のユーザは、カーボンコピー編集画面４００’を使用して、カーボンコピー印刷により印刷される各画像の内容を編集することができる。
【００６４】
カーボンコピー編集画面４００’は、画像表示部４２１、画像選択部４２２、および背景色設定部４２３を有する。また、カーボンコピー編集画面４００’には、詳細編集ボタン４２４および「戻る」ボタン４２５が設けられている。
【００６５】
画像表示部４２１は、カーボンコピー印刷により印刷される複数ページの画像のうち１つの画像を表示する。本実施形態では、印刷設定画面４００の用途選択部４１３により選択されている用途のページについて、原稿データに基づき表示用の画像データが生成され、画像データに基づく画像が画像表示部４２１に表示される。
【００６６】
画像選択部４２２は、画像表示部４２１に表示される画像のひな型の設定を受け付ける。画像選択部４２２は、プルダウンメニューを有し、印刷設定画面４００の用途選択部４１３により選択されている用途のページについて、ユーザによる画像のひな型（データパターン）の設定を受け付ける。
【００６７】
背景色設定部４２３は、画像表示部４２１に表示される画像の背景色の設定を受け付ける。背景色設定部４２３は、プルダウンメニューを有し、ユーザによる背景色の設定を受け付ける。
【００６８】
詳細編集ボタン４２４は、画像表示部４２１に表示される画像の詳細な編集を行うためのボタンであり、画像に対してマスクや文字の追加を行うための画面（不図示）を呼び出すために使用される。「戻る」ボタン４２５は、印刷設定画面４００に戻るためのボタンである。
【００６９】
図９は、印刷設定情報の一例を示す図である。印刷設定情報５００は、印刷設定画面４００の設定内容に基づいて、ＰＣ１００により生成される。印刷設定情報５００は、ジョブ番号情報５１０、カーボンコピー情報５２０、およびカーボンコピー印刷設定情報５３０ａ〜５３０ｉを有する。
【００７０】
ジョブ番号情報５１０は、印刷ジョブを識別するための情報である。カーボンコピー情報５２０は、カーボンコピー印刷を実行するか否かを判定するための情報である。カーボンコピー情報５２０は、印刷設定画面４００のカーボンコピー印刷指示部４１１の設定に対応している。
【００７１】
カーボンコピー印刷設定情報５３０ａ〜５３０ｉは、カーボンコピー印刷に関する情報であり、通し番号情報５３０ａ、カーボンコピー設定情報５３０ｂ、認証情報５３０ｃ、優先度情報５３０ｄ、排紙先情報５３０ｅ、上積み情報５３０ｆ、背景色情報５３０ｇ、挿入文字情報５３０ｈ、および挿入位置情報ｉを含む。通し番号情報５３０ａ、カーボンコピー設定情報５３０ｂ、認証情報５３０ｃ、優先度情報５３０ｄ、排紙先情報５３０ｅ、および上積み情報５３０ｆは、印刷設定画面４００の通し番号入力部４１２、用途選択部４１３、認証設定部４１５、優先度設定部４１７、排紙トレイ設定部４１４、および出力設定部４１６の設定にそれぞれ対応している。背景色情報５３０ｇ、挿入文字情報５３０ｈ、および挿入位置情報ｉは、カーボンコピー編集画面４００’の画像表示部４２１に表示される画像の設定に対応している。
【００７２】
通し番号情報５３０ａは、画像に付加される通し番号を示す情報であり、カーボンコピー設定情報５３０ｂは、１つの印刷ジョブに含まれる複数ページを識別するための情報である。
【００７３】
認証情報５３０ｃは、特定ページの画像の用紙への印刷可否を判定するための情報である。認証情報５３０ｃは、１つの印刷ジョブに含まれる複数ページのうちの特定ページに対して選択的に設定される。たとえば、図９のジョブ番号「０００２」の印刷ジョブでは、４つのページ（Ｏｒｉｇｉｎａｌ、Ｃｏｐｙ１、Ｃｏｐｙ２、およびＣｏｐｙ３）のうち、１ページ目（Ｏｒｉｇｉｎａｌ）および２ページ目（Ｃｏｐｙ１）に対して認証情報が設定されている一方、３ページ目（Ｃｏｐｙ２）および４ページ目（Ｃｏｐｙ３）に対しては、認証情報は設定されていない。また、１ページ目には、認証情報として、識別情報（Ｓｅｃｕｒｅ）とパスワード（１２３４）の両方が設定されている一方、２ページ目には、識別情報（９９９９）のみが設定されている。すなわち、１ページ目と２ページ目とには、異なるセキュリティレベルの認証情報が設定されている。
【００７４】
優先度情報５３０ｄは、１つの印刷ジョブに含まれる各ページの優先度を示す情報である。図９のジョブ番号「０００２」の印刷ジョブでは、１ページ目が「Ｈｉｇｈ」に設定されており、２〜４ページ目が「Ｌｏｗ」に設定されている。
【００７５】
排紙先情報５３０ｅは、画像が印刷された用紙が排出される排紙トレイを示す情報である。図９のジョブ番号「０００２」の印刷ジョブでは、１ページ目が「ＬＳ  Ｍａｉｎ」トレイに設定されており、２〜４ページ目が「ＬＳ  Ｓｕｂ」トレイに設定されている。
【００７６】
上積み情報５３０ｆは、各ページの画像が印刷された用紙の上積みを禁止するか否かを示す情報である。図９のジョブ番号「０００２」の印刷ジョブでは、１ページ目が「禁止」に設定されており、２〜４ページ目が「許可」に設定されている。
【００７７】
背景色情報５３０ｇは、画像の背景色を示す情報であり、挿入文字情報５３０ｈおよび挿入位置情報５３０ｉは、画像に追加される文字とその挿入位置を示す情報である。
【００７８】
なお、印刷設定情報５００には、上記の情報に加え、マスク処理を施すための情報等が含まれる。
【００７９】
印刷設定情報５００は、印刷ジョブとして、対応する印刷データとともにＰＣ１００からＭＦＰ２００に送信される。印刷ジョブを受信したＭＦＰ２００は、印刷設定情報５００に基づいて、印刷処理を実行する。以下、図１０〜図１３を参照して、ＭＦＰ２００の動作について説明する。
【００８０】
図１０は、ＭＦＰにより実行される印刷処理の手順を示すフローチャートである。なお、図１０のフローチャートに示されるアルゴリズムは、ＭＦＰ２００のＨＤＤ２０３にプログラムとして記憶されており、ＣＰＵ２０１により実行される。
【００８１】
印刷処理では、まず、カーボンコピー印刷が設定されているか否かが判断される（ステップＳ１０１）。本実施形態では、印刷ジョブに含まれるカーボンコピー情報５２０が参照され、カーボンコピー印刷が設定されているか否かが判断される。
【００８２】
カーボンコピー印刷が設定されていないと判断される場合（ステップＳ１０１：ＮＯ）、通常の印刷処理が実行される（ステップＳ１０２）。本実施形態では、印刷ジョブに含まれる印刷データからビットマップ形式の画像データが生成され、画像データに基づく画像が用紙上に形成される。
【００８３】
一方、ステップＳ１０１に示す処理において、カーボンコピー印刷が設定されていると判断される場合（ステップＳ１０１：ＹＥＳ）、複数ページの画像データが生成される（ステップＳ１０３）。本実施形態では、印刷データから、カーボンコピー印刷用の複数ページの画像データが生成される。具体的には、まず、印刷データから、オリジナルの画像データである原稿印字データが生成される。そして、原稿印字データに対して、マスク処理、文字追加処理、および背景色変更処理等の処理が施されることにより、カーボンコピーデータが生成される。なお、マスク処理等の処理を利用して複数ページの画像データを生成する処理自体は、一般的なカーボンコピー印刷用の画像データ生成処理であるため、詳細な説明は省略する。
【００８４】
続いて、出力の禁則が確認される（ステップＳ１０４）。本実施形態では、ステップＳ１０３に示す処理で画像データが生成された複数ページのうち、認証情報が設定されていないページについて、優先度情報５３０ｄおよび上積み情報５３０ｆがそれぞれ参照され、出力の禁則が確認される。
【００８５】
続いて、禁則にエラーがないページの印刷出力が実行される（ステップＳ１０５）。本実施形態では、ステップＳ１０４に示す処理における確認結果に基づいて、禁則にエラーがないページの画像が印刷される。具体的には、認証情報が設定されておらず、かつ、禁則条件が成立しないページについて、画像データに基づく画像が用紙上に形成される。
【００８６】
本実施形態では、認証情報が設定されていないページのうち、上積み情報が「許可」であるページや優先度情報が「Ｈｉｇｈ」であるページの画像が用紙に印刷される。あるいは、上積み情報が「禁止」のページについては、当該ページの画像が印刷された用紙が排出される排紙トレイに他の用紙が存在しない場合、画像が用紙に印刷される。
【００８７】
以上のとおり、図１０のステップＳ１０１〜Ｓ１０５に示す処理によれば、印刷ジョブにカーボンコピー印刷が設定されている場合、１つの印刷ジョブに含まれる複数ページの中から、認証情報が設定されておらず、かつ、禁則条件が成立しないページが認識され、当該ページの画像が用紙に印刷される。なお、認証情報が設定されていないページは、たとえば、顧客の電話番号のような重要な情報（画像要素）を含まない比較的セキュリティレベルの低い画像のページである。
【００８８】
続いて、ジョブ指定または禁則解除があるか否かが判断される（ステップＳ１０６）。本実施形態では、ステップＳ１０５に示す処理で印刷されたページを除く残りのページを印刷するために、ジョブ指定または禁則解除があるか否かが判断される。
【００８９】
図１２は、ジョブ指定画面の一例を示す図である。ジョブ指定画面６００は、ＭＦＰ２００の操作パネル部２２０に表示される。ジョブ指定画面６００は、ジョブ選択部６１０、用途選択部６２０、および認証情報入力部６３０を有する。
【００９０】
ジョブ選択部６１０は、ＭＦＰ２００において待機中の印刷ジョブの一覧の中から、ユーザによる１つの印刷ジョブの選択を受け付ける。用途選択部６２０は、ジョブ選択部６１０により選択された印刷ジョブの各ページに指定されている用途の中から、ユーザによる１つの用途（ページ）の選択を受け付ける。
【００９１】
認証情報入力部６３０は、用途選択部６２０により選択された用途の画像を印刷出力するための認証情報の入力を受け付ける。認証情報入力部６３０は、ユーザによる識別情報、または、識別情報およびパスワードの入力を受け付ける。
【００９２】
図１２では、印刷ジョブ「カーボン３」に含まれる４つのページに指定されている４つの用途の中から、用途「処理用１」が選択されており、「処理用１」の画像を印刷出力するために、ユーザにより認証情報が入力される。
【００９３】
ステップＳ１０６に示す処理では、ユーザにより入力された認証情報が取得された場合、ジョブ指定があると判断される。また、認証情報が設定されていない未印刷のページについて、当該ページよりも優先度の高いページの印刷が終了した場合、あるいは、当該ページの画像が印刷された用紙が排出される排紙トレイに存在していた他の用紙が取り除かれた場合、禁則解除があると判断される。
【００９４】
ステップＳ１０６に示す処理において、ジョブ指定または禁則解除がないと判断される場合（ステップＳ１０６：ＮＯ）、ジョブ指定または禁則解除があるまで待機する。
【００９５】
一方、ジョブ指定または禁則解除があると判断される場合（ステップＳ１０６：ＹＥＳ）、ジョブ指定であるか否かが判断される（ステップＳ１０７）。
【００９６】
ジョブ指定であると判断される場合（ステップＳ１０７：ＹＥＳ）、認証処理が実行される（ステップＳ１０８）。本実施形態では、印刷設定情報５００の認証情報５３０ｃが参照され、ジョブ指定画面６００を通じてユーザにより入力された認証情報が、予め設定された認証情報と一致するか否かが判断される。
【００９７】
そして、認証結果が「ＯＫ」であるか否かが判断される（ステップＳ１０９）。認証結果が「ＯＫ」でないと判断される場合（ステップＳ１０９：ＮＯ）、エラー画面が表示され（ステップＳ１１０）、ステップＳ１０６の処理に戻る。
【００９８】
一方、認証結果が「ＯＫ」であると判断される場合（ステップＳ１０９：ＹＥＳ）、または、ステップＳ１０７に示す処理においてジョブ指定でないと判断される場合（ステップＳ１０７：ＮＯ）、出力の禁則が確認される（ステップＳ１１１）。
【００９９】
続いて、禁則にエラーがあるか否かが判断される（ステップＳ１１２）。
【０１００】
禁則にエラーがあると判断される場合（ステップＳ１１２：ＹＥＳ）、エラー画面が表示され（ステップＳ１１０）、ステップＳ１０６の処理に戻る。たとえば、認証結果が「ＯＫ」であるページであっても、当該ページの画像が印刷された用紙が排出される排紙トレイに他の用紙が存在する場合には、エラー画面（不図示）が表示される。
【０１０１】
一方、禁則にエラーがないと判断される場合（ステップＳ１１２：ＮＯ）、該当するページの印刷出力が実行される（ステップＳ１１３）。本実施形態では、認証情報が設定されておらず禁則が解除されたページ、または、認証結果が「ＯＫ」であると判断され禁則エラーがないページの画像が用紙に印刷される。
【０１０２】
そして、ジョブ情報が更新される（ステップＳ１１４）。本実施形態では、ＭＦＰ２００のＨＤＤ２０３に印刷ジョブとともに格納されているジョブ情報が、印刷結果に応じて更新される。具体的には、ジョブ情報に含まれる該当ページの出力情報が、「未印刷」から「出力済み」に更新される。
【０１０３】
以上のとおり、図１０のステップＳ１０６〜Ｓ１１４に示す処理によれば、１つの印刷ジョブに含まれる複数ページのうち、認証情報が設定されているページについて認証情報の入力が受付けられる。そして、認証結果が「ＯＫ」であると判断され、禁則エラーがない場合、該当するページの画像が用紙に印刷される。なお、印刷ジョブに含まれる２以上のページに対して同一の認証情報が予め設定されている場合には、複数ページの画像が用紙に印刷される。
【０１０４】
このような構成によれば、ＰＣ１００から印刷ジョブが送信されたとしても、ＭＦＰ２００に対してユーザが正しい認証情報を入力しない限り、特定ページの画像が用紙に印刷されないため、特定ページの画像が印刷された用紙が、他のページの画像が印刷された用紙とともに排紙トレイに排出されることが防止される。したがって、特定ページの画像が印刷された用紙が正当な権限を有する者以外の者により持ち去られてしまうことが防止される。
【０１０５】
また、図１０のステップＳ１０６〜Ｓ１１４に示す処理によれば、図１０のステップＳ１０４〜Ｓ１０５に示す処理において、禁則条件が成立したことにより印刷が実行されなかったページについて、禁則解除が認識され、該当するページの画像が印刷される。
【０１０６】
続いて、ジョブ指定であるか否かが再び判断される（ステップＳ１１５）。ジョブ指定でないと判断される場合（ステップＳ１１５：ＮＯ）、ステップＳ１２１の処理に移行する。
【０１０７】
一方、ジョブ指定であると判断される場合（ステップＳ１１５：ＹＥＳ）、他の印刷ジョブが選択される（ステップＳ１１６）。本実施形態では、ＭＦＰ２００のＨＤＤ２０３に記憶されている待機中の印刷ジョブの中から１つの印刷ジョブが選択される。
【０１０８】
続いて、印刷ジョブに同一の設定があるか否かが判断される（ステップＳ１１７）。本実施形態では、ステップＳ１１６に示す処理で選択された印刷ジョブに、ステップＳ１０８に示す処理で認証された認証情報と同一の認証情報が設定されたページが含まれているか否かが判断される。
【０１０９】
印刷ジョブに同一の設定がないと判断される場合（ステップＳ１１７：ＮＯ）、ステップＳ１２０の処理に移行する。
【０１１０】
一方、印刷ジョブに同一の設定があると判断される場合（ステップＳ１１７：ＹＥＳ）、同一設定のページの印刷出力が実行される（ステップＳ１１８）。本実施形態では、ステップＳ１０８に示す処理で認証された認証情報と同一の認証情報が設定されているページの画像が用紙に印刷される。
【０１１１】
たとえば、図９のジョブ番号「０００２」の印刷ジョブにおいて認証情報「９９９９」が設定されているページを印刷するために、ユーザにより認証情報「９９９９」が入力された場合、まず、ジョブ番号「０００２」の印刷ジョブの該当するページの画像が用紙に印刷される。加えて、ジョブ番号「０００３」および「０００４」の印刷ジョブにおいて認証番号「９９９９」が設定されているページが検出され、当該ページの画像が用紙に印刷される。
【０１１２】
そして、ジョブ情報が更新される（ステップＳ１１９）。
【０１１３】
続いて、全ジョブの確認が終了したか否かが判断される（ステップＳ１２０）。本実施形態では、ＭＦＰ２００において待機中のすべての印刷ジョブの確認が終了したか否かが判断される。
【０１１４】
全ジョブの確認が終了していないと判断される場合（ステップＳ１２０：ＮＯ）、ステップＳ１１６の処理に戻る。一方、全ジョブの確認が終了したと判断される場合（ステップＳ１２０：ＹＥＳ）、ステップＳ１２１の処理に移行する。
【０１１５】
以上のとおり、図１１のステップＳ１１５〜Ｓ１２０に示す処理によれば、ステップＳ１０８に示す処理で認証された認証情報と同一の認証情報が設定されている他の印刷ジョブのページが検出され、当該ページの印刷出力が実行される。このような構成によれば、ユーザによる１回の認証情報の入力により、複数の印刷ジョブの画像を印刷することができる。すなわち、ユーザがジョブ毎に認証情報を入力する作業が省略される。
【０１１６】
続いて、印刷ジョブの全ページの印刷出力が終了したか否かが判断される（ステップＳ１２１）。本実施形態では、ステップＳ１０３に示す処理で生成されたすべての画像データについて、画像データに基づく画像が用紙上に形成されたか否かが判断される。
【０１１７】
印刷ジョブの全ページの印刷出力が終了していないと判断される場合（ステップＳ１２１：ＮＯ）、ステップＳ１０６の処理に戻る。一方、印刷ジョブの全ページの印刷出力が終了したと判断される場合（ステップＳ１２１：ＹＥＳ）、処理が終了される。
【０１１８】
図１３は、カーボンコピー印刷の作用効果を説明するための図である。
【０１１９】
図１３（Ａ）は、「発送伝票」の原稿データの画像の一例を示す図であり、図１３（Ｂ）は、カーボンコピー印刷により作成される１組の伝票の画像の一例を示す図である。図１３では、原稿データに基づいて、４枚１組の伝票が作成される。また、図１３には、顧客の氏名・住所等の情報が異なる３つの印刷ジョブが示されている。
【０１２０】
たとえば、第１の印刷ジョブの実行により印刷される４枚の伝票のうち、「お客様用」伝票について認証情報が設定されており、第２および第３の印刷ジョブについても「お客様用」伝票について、第１の印刷ジョブと同一の認証情報が設定されているとする。
【０１２１】
この場合、まず、第１の印刷ジョブについて、認証情報が設定されていない３つの伝票（「処理１」伝票、「処理２」伝票、および「控え」伝票）が印刷出力される。その後、正当権利者が、ＭＦＰ２００の操作パネル部２２０上で第１の印刷ジョブを指定して認証情報を入力すれば、第１の印刷ジョブについて、「お客様用」伝票が印刷出力される。加えて、第２および第３の印刷ジョブの「お客様用」伝票が印刷出力される。
【０１２２】
このような構成によれば、「お客様用」伝票を持ち去るべき正当権利者が、ＭＦＰ２００の操作パネル部２２０に対して認証情報を入力しない限り、「お客様用」伝票が印刷出力されないため、「お客様用」伝票が、他の３枚の伝票とともに排紙トレイに排出されることが防止される。したがって、「お客様用」伝票が正当権利者以外の者により持ち去られてしまうことが防止される。
【０１２３】
また、第１の印刷ジョブの「お客様用」伝票とともに、上記の正当権利者が持ち去るべき第２および第３の印刷ジョブの「お客様用」伝票も印刷出力されるため、正当権利者が、操作パネル部２２０上で第２および第３の印刷ジョブを指定して認証情報を入力する作業が省略される。
【０１２４】
以上のとおり、説明した実施形態では、本発明の印刷処理をカーボンコピー印刷に適用する場合を例に挙げて説明した。しかしながら、本発明の印刷処理は、バリアブル印刷にも適用可能である。
【０１２５】
図１４は、本発明の印刷処理をバリアブル印刷に適用した場合の作用効果を説明するための図である。図１４（Ａ）は、原稿データの画像の一例を示す図であり、図１４（Ｂ）は、バリアブル印刷により作成される１組の広告の一例を示す図である。図１４では、３枚１組の広告が作成される。また、図１４には、少なくとも建物の部屋番号が異なる３つのバリアブル印刷ジョブが示されている。
【０１２６】
本実施形態では、建物の名称、写真、および部屋番号が記載された原稿データ（フォームデータ）に対して、可変データである顧客の氏名・住所等の情報が重ね合わされることにより、顧客情報が異なる３枚１組の広告が作成される。１組の広告には、建物の写真、部屋番号情報等の共通の画像要素が含まれる。１組の広告をなす複数の広告のうち、特定の広告に対して認証情報が設定される。
【０１２７】
たとえば、第１のバリアブル印刷ジョブの実行により印刷されるべき顧客氏名・住所の異なる３つの広告のうち、「会員顧客１用」広告について認証情報が設定されており、第２および第３のバリアブル印刷ジョブについても「会員顧客１用」広告について、第１のバリアブル印刷ジョブと同一の認証情報が設定されているとする。
【０１２８】
この場合、まず、第１のバリアブル印刷ジョブについて、認証情報が設定されていない２枚の広告（「一般顧客１用」および「一般顧客２用」）が印刷出力される。その後、正当権利者が、ＭＦＰ２００の操作パネル部２２０上で第１のバリアブル印刷ジョブを指定して認証情報を入力すれば、第１のバリアブル印刷ジョブについて、「会員顧客１用」広告が印刷出力される。加えて、第２および第３のバリアブル印刷ジョブの「会員顧客１用」広告が印刷出力される。
【０１２９】
（変形例）
次に、図１５および図１６を参照して、本実施形態の変形例について説明する。本変形例は、画像の印刷に関する禁則条件を設定しない実施形態である。
【０１３０】
図１５は、本実施形態の印刷処理の変形例を説明するためのフローチャートである。なお、図１５のフローチャートに示されるアルゴリズムは、ＭＦＰ２００のＨＤＤ２０３にプログラムとして記憶されており、ＣＰＵ２０１により実行される。
【０１３１】
ステップＳ２０１〜Ｓ２０３に示す処理は、図１０のステップＳ１０１〜Ｓ１０３に示す処理と同様であるため詳細な説明は省略する。
【０１３２】
ステップＳ２０４では、認証情報の設定がないページの印刷出力が実行される。具体的には、カーボンコピー印刷により画像が印刷される複数ページのうち、認証情報が設定されていないページの画像が用紙に印刷される。
【０１３３】
続いて、ジョブ指定があるか否かが判断される（ステップＳ２０５）。ジョブ指定がないと判断される場合（ステップＳ２０５：ＮＯ）、ジョブ指定があるまで待機する。一方、ジョブ指定があると判断される場合（ステップＳ２０５：ＹＥＳ）、認証処理が実行される（ステップＳ２０６）。
【０１３４】
そして、認証結果が「ＯＫ」であるか否かが判断される（ステップＳ２０７）。認証結果が「ＯＫ」でないと判断される場合（ステップＳ２０７：ＮＯ）、エラー画面が表示され（ステップＳ２０８）、ステップＳ２０５の処理に戻る。
【０１３５】
一方、認証結果が「ＯＫ」であると判断される場合（ステップＳ２０７：ＹＥＳ）、該当するページの印刷出力が実行される（ステップＳ２０９）。そして、ジョブ情報が更新される（ステップＳ２１０）。
【０１３６】
ステップＳ２１１〜Ｓ２１６に示す処理は、図１１のステップＳ１１６〜Ｓ１２１に示す処理と同様であるため詳細な説明は省略する。
【０１３７】
以上のとおり、本実施形態の印刷システムによれば、ＭＦＰ２００に対して、ユーザが正しい認証情報を入力しない限り、特定ページの画像が用紙に印刷されないため、特定ページの画像が印刷された用紙が、特定ページ以外の画像が印刷された用紙とともに排紙トレイに排出されることが防止される。したがって、特定ページの画像が印刷された用紙が正当な権限を有する者以外の者により持ち去られてしまうことが防止され、印刷処理のセキュリティレベルが向上する。
【０１３８】
なお、上記実施形態では、各ページの画像が印刷された用紙が所定の排紙トレイまたは排紙ボックスに収容される。カーボンコピー印刷では、直ちに持ち去る必要のない伝票やまとめて処理される伝票は、排紙トレイではなく、排紙ボックスに収容される。本実施形態では、認証情報が設定されている特定ページの画像が印刷された用紙の取り間違いを防止する見地から、たとえば、特定ページについては、認証処理後に画像が印刷された用紙が排紙トレイに収容され、他のページについては、画像が印刷された用紙が排紙ボックスに収容されるように設定されることが好ましい。あるいは、すべての用紙が互いに異なる排紙ボックスに収容されるように設定され、たとえば、図１０のステップＳ１０９に示す処理で、認証結果が「ＯＫ」であると判断される場合に、特定ページの画像が印刷された用紙が収容される排紙ボックスのドアのロックが合わせて解除されてもよい。
【０１３９】
本発明は、上記実施形態のみに限定されるものではなく、特許請求の範囲内において、種々改変することができる。
【０１４０】
たとえば、上記実施形態では、本発明の印刷処理を、各ページの画像が共通の画像要素を有するカーボンコピー印刷およびバリアブル印刷に適用する場合を例に挙げて説明した。しかしながら、本発明の印刷処理は、共通の画像要素を有さない複数ページの画像の印刷にも適用可能である。
【０１４１】
また、上記実施形態では、ＭＦＰ２００においてカーボンコピー印刷用の画像データが生成された。しかしながら、ＰＣ１００においてカーボンコピー印刷用の画像データが生成され、ＭＦＰ２００に送信されてもよい。
【０１４２】
また、上記実施形態では、印刷制御装置として、印刷装置を包含するＭＦＰが使用されているが、本発明はこれに限定されるものではなく、たとえば、複写機およびプリンタ等の他の装置が使用されてもよい。あるいは、印刷装置と分離された印刷制御装置にも適用可能である。
【０１４３】
本実施形態にかかる印刷システムにおける各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、装置の一機能としてその装置のソフトウエアに組み込まれてもよい。
【符号の説明】
【０１４４】
１００  ＰＣ、
１０１，２０１  ＣＰＵ、
１０２，２０２  メモリ、
１０３，２０３  ＨＤＤ、
１０４  ディスプレイ、
１０５  入力装置、
１０６，２０４  通信Ｉ／Ｆ部、
１０７  バス、
２００  ＭＦＰ、
２１０  制御部、
２２０  操作パネル部、
２３０  ＡＤＦ、
２４０  画像読取部、
２５０  給紙部、
２６０  画像形成部、
２７０  排紙部、
３００  ネットワーク、
４００  印刷設定画面、
５００  印刷設定情報、
６００  ジョブ指定画面。
【図１】
2012118789.tif 000003
【図２】
2012118789.tif 000004
【図３】
2012118789.tif 000005
【図４】
2012118789.tif 000006
【図５】
2012118789.tif 000007
【図７】
2012118789.tif 000008
【図９】
2012118789.tif 000009
【図１０】
2012118789.tif 000010
【図１１】
2012118789.tif 000011
【図１５】
2012118789.tif 000012
【図１６】
2012118789.tif 000013
【図６】
2012118789.tif 000014
【図８】
2012118789.tif 000015
【図１２】
2012118789.tif 000016
【図１３】
2012118789.tif 000017
【図１４】
2012118789.tif 000018